(57)【要約】      （修正有）【課題】安価な使用料金体系の基に、無線ＩＣタグカード携行者自身の一定の場所等における状態把握を的確に行うことを可能とする対象物体の状態管理システムを提供する。【解決手段】携行者が携行する携行者固有の識別情報を記憶した無線ＩＣタグカード１と、携行者に関連する一定の場所、例えば学習塾等のような場所に配置され、無線ＩＣタグカード１の接近時に識別情報を読み取り、読み取った識別情報と読み取り時刻情報、場所情報を無線データ回線６を介して送信する読取処理手段１１と、読取処理手段１１からの情報を無線データ回線６を介して受信し、管理支援プログラムに基づき携行者の状態を表す携行者状態情報を作成して、通信網１０を介して携行者に関連する保護者宛てに送信する管理支援コンピュータ装置１５と、前記管理支援コンピュータ装置１５からの携行者状態情報を通信網１０を介して受信する保護者の携帯電話３とを有する構成とする。【選択図】図１
2013058002.tif 000002
【特許請求の範囲】
【請求項１】
予め登録した会員である携行者が携行する当該携行者固有の識別情報を記憶した無線ＩＣタグカードと、
前記携行者に関連する一定の場所に配置されるとともに、前記無線ＩＣタグカードの接近時、前記無線ＩＣタグカードから識別情報を読み取り、読み取った前記識別情報と読み取り時刻情報、場所情報を、無線データ回線を介して送信する読取処理手段と、
前記読取処理手段からの識別情報及び読み取り時刻情報、場所情報を、無線データ回線を介して受信し、管理支援プログラムに基づき前記携行者の前記場所における状態を表す携行者状態情報を作成して通信網を介して前記携行者宛てに又は前記携行者に関連する特定者宛てに送信する管理支援コンピュータ装置と、
前記管理支援コンピュータ装置からの携行者状態情報を、通信網を介して受信する前記携行者自体の又は前記特定者の情報通信装置と、
を有することを特徴とする無線ＩＣタグカードを使用した対象物体の状態管理システム。
【請求項２】
予め登録した会員である学習塾生徒が携行する当該学習塾生徒固有の識別情報を記憶した無線ＩＣタグカードと、
前記学習塾生徒が通う学習塾に配置されるとともに、前記無線ＩＣタグカードの接近時、前記無線ＩＣタグカードから識別情報を読み取り、読み取った前記識別情報と読み取り時刻情報、場所情報を、無線データ回線を介して送信する読取処理手段と、
前記読取処理手段からの識別情報及び読み取り時刻情報、場所情報を、無線データ回線を介して受信し、管理支援プログラムに基づき前記学習塾生徒の前記学習塾における状態を表す生徒出退状態情報を作成して通信網を介して前記携行者に関連する特定者としての保護者宛てに送信する管理支援コンピュータ装置と、
前記管理支援コンピュータ装置からの生徒出退状態情報を、通信網を介して受信する前記保護者の情報通信装置と、
を有することを特徴とする無線ＩＣタグカードを使用した対象物体の状態管理システム。
【請求項３】
観光バスの複数の乗客管理に適用する無線ＩＣタグカードを使用した対象物体の状態管理システムであって、
予め登録した会員である個々の乗客が携行する当該乗客固有の識別情報を記憶した無線ＩＣタグカードと、
観光バスにおける一定の箇所に配置され、又は観光バスの係員が携行するとともに、前記無線ＩＣタグカードの接近時、前記無線ＩＣタグカードから識別情報を読み取る読取処理手段と、
前記読取処理手段からの識別情報及び読み取り時刻情報を、無線データ回線を介して受信し、管理支援プログラムに基づき前記個々の乗客の前記観光バスにおける乗降状態を表す個々の乗客乗降状態情報を作成して通信網を介して前記乗客に関連する特定者宛てに送信する管理支援コンピュータ装置と、
前記管理支援コンピュータ装置からの個々の乗客乗降状態情報を、通信網を介して受信する前記特定者である観光バスの係員の情報通信装置と、
を有することを特徴とする無線ＩＣタグカードを使用した対象物体の状態管理システム。
【請求項４】
独居高齢者等の管理に適用する対象物体の状態管理システムであって、
前記独居高齢者が居住する前記住居内に配置した当該独居高齢者の動きを検知する検知手段と、
前記住居内に配置され、前記検知手段からの動きを示す検知信号を受信するとともに、前記検知信号及び検知時刻情報、独居高齢者のアドレス情報を、無線データ回線を介して送信する読取処理手段と、
前記読取処理手段からの前記検知信号及び検知時刻情報を、無線データ回線を介して受信するとともに、管理支援プログラムに基づき、設定時間内に前記検知信号、検知時刻情報、独居高齢者のアドレス情報を受信しない場合には、前記独居高齢者に異常が生じたと判定し、異常状態情報を作成して通信網を介して前記独居高齢者に関連する特定者宛てに送信するように構成した管理支援コンピュータ装置と、
前記管理支援コンピュータ装置からの異常状態情報を、通信網を介して受信する前記特定者である保護者の情報通信装置と、
を有することを特徴とする対象物体の状態管理システム。
【請求項５】
特定の対象物体の管理に適用する対象物体の状態管理システムであって、
温度センサー又は照度センサーから構成される周囲環境検知手段を接続する入出力インターフェースと、無線データ送受信手段とを組み込んだ読取処理手段と、
前記読取処理手段からの送信信号を、無線データ回線を介して受信するとともに、管理支援プログラムに基づき、温度情報又は照度情報からなる周囲状態情報を作成して電子メールとして通信網を介して送信する管理支援コンピュータ装置と、
前記管理支援コンピュータ装置からの電子メールを、通信網を介して受信する特定者の情報通信装置と、
を有することを特徴とする対象物体の状態管理システム。
【請求項６】
予め登録した会員である事業を営む組織の従業員が携行する当該従業員固有の識別情報を記憶した無線ＩＣタグカードと、
前記組織の一定の場所又は複数の場所に配置され、
前記無線ＩＣタグカードの接近時、前記無線ＩＣタグカードから当該従業員の識別情報を読み取り、読み取った前記識別情報と読み取り時刻情報、場所情報を、無線データ回線を介して送信する読取処理手段と、
前記読取処理手段からの識別情報及び読み取り時刻情報、場所情報を、無線データ回線を介して受信し、管理支援プログラムに基づき前記従業員の出退勤管理情報を作成して通信網を介して前記管理コンピュータ装置に送信するとともに、前記従業員宛てに送信する管理支援コンピュータ装置と、
前記管理支援コンピュータ装置からの出退勤管理情報を、通信網を介して受信する前記従業員の情報通信装置と、
を有することを特徴とする無線ＩＣタグカードを使用した対象物体の状態管理システム。
【請求項７】
予め診療機関に登録した会員である患者の診療予約、受付に適用する無線ＩＣタグカードを使用した対象物体の状態管理システムであって、
患者が携行する当該患者固有の識別情報を記憶した無線ＩＣタグカードと、
前記診療機関の所定の場所に配置され、前記無線ＩＣタグカードの接近時、前記無線ＩＣタグカードから前記識別情報を読み取る読取処理手段と、
前記読取処理手段からの識別情報及び読み取り時刻情報を、無線データ回線を介して受信し、管理支援プログラムに基づき前記患者の予約受付情報、院内受付情報、診療受付情報を個別に作成して、前記患者宛てに通信網を介して送信する管理支援コンピュータ装置と、
前記管理支援コンピュータ装置からの予約受付情報、院内受付情報、診療受付情報を、通信網を介して受信する前記患者の情報通信装置と、
前記診療機関に配置した予約受付用、院内受付用、診療受付用の管理コンピュータ装置と、
を有することを特徴とする無線ＩＣタグカードを使用した対象物体の状態管理システム。
【請求項８】
予め医療検査センターに登録した会員である患者の検体検査に適用する無線ＩＣタグカードを使用した対象物体の状態管理システムであって、
患者が医療検査センターに提供する検体を収納した検体採取用機材に付加した前記患者、検体を特定する識別情報を記憶した無線ＩＣタグカードと、
医療機関に配置した前記無線ＩＣタグカードの接近時、前記無線ＩＣタグカードから前記識別情報を読み取り無線データ回線を介し送信する読取処理手段及び患者の識別情報及び前記検体について実行した検査結果情報を表示するコンピュータ端末と
前記患者又は医療機関から送付されてくる前記検体を収納した検体採取用機材を受領し、検査終了後検体採取用機材を前記医療機関に返送する医療検査センターであって、前記検体採取用機材に付加した無線ＩＣタグカードの接近時、前記無線ＩＣタグカードから前記識別情報を読み取るとともに、前記識別情報及び前記検体について実行した検査結果情報を前記無線ＩＣタグカードに書き込む読取書込処理手段と、管理コンピュータ装置とを備える医療検査センターと、
前記医療機関の読取処理手段からの識別情報を、無線データ回線を介して受信し医療検査センターの管理コンピュータ装置に送信する管理支援コンピュータ装置と、
前記コンピュータ端末、管理支援コンピュータ装置間の情報伝送を行う通信網と、
を有することを特徴とする無線ＩＣタグカードを使用した対象物体の状態管理システム。
【請求項９】
売上額に応じたサービスポイント提供を行う販売店舗に登録した会員である顧客固有の識別情報及び書き換え可能なサービスポイント情報を記憶した無線ＩＣタグカードと、
販売店舗の一定の場所に配置されるとともに、買物客である顧客の前記無線ＩＣタグカードの接近時、前記無線ＩＣタグカードからの識別情報、サービスポイント情報の読み取り及び書き換え処理を実行するとともに、読み取った前記識別情報と、前記サービスポイント情報とを無線データ回線を介して送信する読取書込処理手段と、
前記読取書込処理手段からの識別情報及びサービスポイント情報を、無線データ回線を介して受信し、管理支援プログラムに基づき無線ＩＣタグカードの更新情報を作成して前記読取書込処理手段に無線データ回線を介して送信し、前記読取書込処理手段により売上額に応じた無線ＩＣタグカードのサービスポイント情報の更新を実行させるとともに、通信網を介して無線ＩＣタグカードの更新情報を前記顧客に送信する管理支援コンピュータ装置と、
前記管理支援コンピュータ装置からの無線ＩＣタグカードの更新情報を、通信網を介して受信する前記顧客の情報通信装置と、
を有することを特徴とする無線ＩＣタグカードを使用した対象物体の状態管理システム。
【請求項１０】
売上額に応じたサービスポイント提供を行う販売店舗に登録した会員である顧客固有の識別情報及び書き換え可能なサービスポイント情報を記憶した無線ＩＣタグカードと、
販売店舗の一定の場所に配置されるとともに、買物客である顧客の前記無線ＩＣタグカードの接近時、前記無線ＩＣタグカードからの識別情報、サービスポイント情報の読み取り及び書き換え処理を実行するとともに、読み取った前記識別情報と、前記サービスポイント情報とを無線データ回線を介して送信する読取書込処理手段と、
前記読取書込処理手段からの識別情報及びサービスポイント情報を、無線データ回線を介して受信し、管理支援プログラムに基づき無線ＩＣタグカードの更新情報を作成して前記読取書込処理手段に無線データ回線を介して送信し、前記読取書込処理手段により売上額に応じた無線ＩＣタグカードのサービスポイント情報の更新を実行させるとともに、通信網を介して無線ＩＣタグカードの更新情報を前記顧客に送信する構成であり、受信するデータを何千万個というホルダーの指定のホルダー領域にアドレス別に記憶し、到着した瞬間に予め指定した情報通信装置に転送する瞬時転送型のサーバー構成とした管理支援コンピュータ装置と、
前記管理支援コンピュータ装置からの無線ＩＣタグカードの更新情報を、通信網を介して受信する前記顧客の情報通信装置と、
を有することを特徴とする無線ＩＣタグカードを使用した対象物体の状態管理システム。
【請求項１１】
監視対象者である児童の予め設定した通学路及びその周辺領域での移動監視に適用される対象物体の状態管理システムであって、
ＧＰＳ情報受信手段と、記憶保持した識別情報及びＧＰＳ情報を、無線データ回線を介して送受信する無線データ送受信手段を組み合わせた前記児童が携行する読取処理手段と、
前記読取処理手段から無線データ回線を介して送信されてくる当該児童の識別情報及びＧＰＳ情報受信手段にて受信した現在地を示すＧＰＳ情報を受信し、管理支援プログラムに基づき前記ＧＰＳ情報を基に当該児童の現在の位置を判定するとともに、当該児童の現在の位置が通学路及びその周辺領域外と判定した際に通信網を介して緊急情報を送信する管理センターの管理支援コンピュータ装置と、
前記管理支援コンピュータ装置からの緊急情報を、通信網を介して受信する前記児童の保護者の情報通信装置と、
を有することを特徴とする対象物体の状態管理システム。
【請求項１２】
高齢者等の監視対象者である自宅周辺の予め設定した監視領域での移動監視に適用される対象物体の状態管理システムであって、
ＧＰＳ情報受信手段と、記憶保持した識別情報及びＧＰＳ情報を、無線データ回線を介して送受信する無線データ送受信手段を組み合わせた前記監視対象者が携行する読取処理手段と、
前記読取処理手段から無線データ回線を介して送信されてくる当該監視対象者の識別情報及びＧＰＳ情報受信手段にて受信した現在地を示すＧＰＳ情報を受信し、管理支援プログラムに基づき前記ＧＰＳ情報を基に当該監視対象者の現在の位置を判定するとともに、当該監視対象者の現在の位置が監視領域外と判定した際に通信網を介して緊急情報を送信する管理センターの管理支援コンピュータ装置と、
前記管理支援コンピュータ装置からの緊急情報を、通信網を介して受信する前記監視対象者の保護者の情報通信装置と、
を有することを特徴とする対象物体の状態管理システム。
【請求項１３】
業務用車両の運行管理に適用する無線ＩＣタグカードを使用した対象物体の状態管理システムであって、
予め登録した運転者が携行する当該運転者固有の識別情報を記憶した無線ＩＣタグカードと、
業務用車両における一定の箇所に配置され、タグリーダ、ＧＰＳ情報受信手段及び無線データ回線を介して送受信を行う無線データ送受信手段を組み合わせて構成され、前記業務用車両の運行に伴って、前記無線ＩＣタグカードから識別情報を読み取り、ＧＰＳ情報を受信して、前記無線データ送受信手段により無線データ回線を介して前記識別情報及びＧＰＳ情報の送信を行うロケーション装置を組み込んだ読取処理手段と、
前記読取処理手段からの前記識別情報、ＧＰＳ情報を受信し、管理支援プログラムに基づき前記業務用車両の運行状態情報を作成して、通信網を介して送信する管理センターの管理支援コンピュータ装置と、
前記管理支援コンピュータ装置からの運行状態情報を、通信網を介して受信する前記業務用車両の運行会社のコンピュータ装置と、
を有することを特徴とする無線ＩＣタグカードを使用した対象物体の状態管理システム。
【発明の詳細な説明】
【技術分野】
【０００１】
本発明は、無線ＩＣタグカードを使用した対象物体の状態管理システム及び対象物体の状態管理システムに関するものである。
【背景技術】
【０００２】
近年、ＲＦＩＤタグをカードに埋め込み無線ＩＣタグカードとして、機械同士のデータ交換を実現する安価で設備投資がいらないネットワークシステム、更には、ＧＰＳ位置確認システムをも組み入れ対象物体の位置確認処理をも行う安価で設備投資がいらない新しいネットワークシステムが注目されている。
【０００３】
ところで、ＧＰＳ位置確認システムを組み入れた無線ＩＣタグカードを使用する一般的なシステム構成は、通信事業者が地図ソフトを構築し、ユーザの１回当たりのアクセス毎に一定の料金を徴収するものが多く、このため、例えば携帯電話等により一日に何回もアクセスし、位置確認を実行すると、その台数分料金が発生する。すなわち、携帯電話等の保持台数、使用台数が多ければ多いほど高額の利用料金が必要になってしまう。
【０００４】
これは、管理者側において、ユーザの毎回のアクセス毎にポーリング処理（確認処理）が必要になることに起因するものである。
【０００５】
特許文献１には、電源のパワーオンリセット信号又はリーダーから送られるポーリング信号に対して、ＲＦＩＤタグから少なくとも２回以上、パケットが返信されるように構成したＲＦＩＤタグを用いる非接触データ通信システムが提案されている。
【０００６】
しかし、特許文献１の場合も、ユーザの１回当たりのアクセス毎に一定の料金を徴収するものであり、やはり高額の利用料金が必要になるものと推定される。
【先行技術文献】
【特許文献】
【０００７】
【特許文献１】特開２００３−１６３９６号公報
【発明の概要】
【発明が解決しようとする課題】
【０００８】
本発明が解決しようとする問題点は、安価な使用料金体系の基に、無線ＩＣタグカードの携行者自身の例えば一定の場所等における状態把握、又は前記携行者に関連する特定者による無線ＩＣタグカードの携行者の例えば一定の場所等における状態把握を的確に行うことを可能とするような無線ＩＣタグカードを使用した対象物体の状態管理システムが存在しない点である。
【課題を解決するための手段】
【０００９】
本発明の無線ＩＣタグカードを使用した対象物体の状態管理システムは、予め登録した会員である携行者が携行する当該携行者固有の識別情報を記憶した無線ＩＣタグカードと、前記携行者に関連する一定の場所に配置されるとともに、前記無線ＩＣタグカードの接近時、前記無線ＩＣタグカードから識別情報を読み取り、読み取った前記識別情報と読み取り時刻情報、場所情報を無線データ回線を介して送信する読取処理手段と、前記読取処理手段からの識別情報及び読み取り時刻情報、場所情報を、無線データ回線を介して受信し、管理支援プログラムに基づき前記携行者の前記場所における状態を表す携行者状態情報を作成して通信網を介して前記携行者宛てに又は前記携行者に関連する特定者宛てに送信する管理支援コンピュータ装置と、前記管理支援コンピュータ装置からの携行者状態情報を通信網を介して受信する前記携行者自体の又は前記特定者の情報通信装置と、を有することを最も主要な特徴とする。
【発明の効果】
【００１０】
請求項１記載の発明によれば、安価な使用料金体系の基に本システムによるサービス形態を無線ＩＣタグカードの携行者自身に又は前記携行者に関連する特定者に提供でき、無線ＩＣタグカードの携行者自身の状態把握又は前記携行者に関連する特定者による無線ＩＣタグカードの携行者の状態把握を的確に行うことが可能となって、利用価値の大きい無線ＩＣタグカードを使用した対象物体の状態管理システムを実現し提供できる。
【００１１】
請求項２記載の発明によれば、安価な使用料金体系の基に本システムによるサービス形態を学習塾生徒の保護者等に提供でき、学習塾生徒の通学状態、帰宅状態の把握を的確に行うことが可能であり、利用価値の大きい無線ＩＣタグカードを使用した対象物体の状態管理システムを実現し提供できる。
【００１２】
請求項３記載の発明によれば、安価な使用料金体系の基に本システムによるサービス形態を観光バスの乗客の乗降管理を行う運転者、ガイド等のような当該観光バスの係員に提供でき、観光バスの乗客の乗降状態の把握を的確に行うことが可能であり、利用価値の大きい無線ＩＣタグカードを使用した対象物体の状態管理システムを実現し提供できる。
【００１３】
請求項４記載の発明によれば、安価な使用料金体系の基に本システムによるサービス形態を独居高齢者の親族等の保護者に提供でき、独居高齢者の住居内での居住状態の把握を的確に行うことが可能となって、利用価値の大きい対象物体の状態管理システムを実現し提供できる。
【００１４】
請求項５記載の発明によれば、安価な使用料金体系の基に本システムによる店舗内の温度、照度というような周囲環境を最適化するためのサービス形態を提供でき、利用価値の大きい対象物体の状態管理システムを実現し提供できる。
【００１５】
請求項６記載の発明によれば、安価な使用料金体系の基に本システムによるサービス形態を、事業を営む組織やその組織の従業員に提供でき、従業員の出退勤管理状態の把握を的確に行うことが可能となって、利用価値の大きい無線ＩＣタグカードを使用した対象物体の状態管理システムを実現し提供できる。
【００１６】
請求項７記載の発明によれば、安価な使用料金体系の基に本システムによるサービス形態を診療機関に提供でき、多数の患者の当該診療機関に対する予約、院内予約、診療予約等に関するサービス性を大きく向上することができる無線ＩＣタグカードを使用した対象物体の状態管理システムを実現し提供できる。
【００１７】
請求項８記載の発明によれば、安価な使用料金体系の基に本システムによる患者の検体検査に関するサービス形態をクリニック、診療所、病院Ａ、病院Ｂ等の医療機関に提供でき、当該クリニック、診療所、病院Ａ、病院Ｂ等の医療機関における多数の患者への検体検査に関するサービス性を大きく向上することができる無線ＩＣタグカードを使用した対象物体の状態管理システムを実現し提供できる。
【００１８】
請求項９記載の発明によれば、安価な使用料金体系の基に、売上額に応じた顧客へのサービスポイント付加のための本システムを販売店舗に提供でき、顧客の利便性の向上、顧客へのサービス性の向上を図り、売上額増大に寄与することが可能な無線ＩＣタグカードを使用した対象物体の状態管理システムを実現し提供できる。
【００１９】
請求項１０記載の発明によれば、安価な使用料金体系の基に、売上額に応じた顧客へのサービスポイント付加のための本システムを販売店舗に提供でき、多人数の顧客の利便性の向上、顧客へのサービス性の向上を図り、さらには何千人、何万人という多人数の顧客の利用に供することができ、売上額増大に大いに寄与することが可能な無線ＩＣタグカードを使用した対象物体の状態管理システムを実現し提供できる。
【００２０】
請求項１１記載の発明によれば、安価な使用料金体系の基に本システムによるサービス形態を、学校への登校、下校を行う児童の親等に提供でき、児童の登校、下校時の交通事故、防犯等に関する安全性向上に資することができる対象物体の状態管理システムを実現し提供できる。
【００２１】
請求項１２記載の発明によれば、安価な使用料金体系の基に本システムによるサービス形態を、例えば高齢者のような監視対象者の保護者等に提供でき、監視対象者に関する交通事故、防犯等に関する安全性向上に資することができる対象物体の状態管理システムを実現し提供できる。
【００２２】
請求項１３記載の発明によれば、安価な使用料金体系の基に、本システムによるサービス形態を業務用車両の運行管理を行う運行会社に提供でき、業務用車両の運行管理、運転者の勤怠管理を容易に実現することができる無線ＩＣタグカードを使用した対象物体の状態管理システムを実現し提供できる。
【図面の簡単な説明】
【００２３】
【図１】図１は本発明の実施例１に係る無線ＩＣタグカードを使用した対象物体の状態管理システムの構成を示す概略ブロック図である。
【図２】図２は本発明の実施例２に係る無線ＩＣタグカードを使用した対象物体の状態管理システムの構成を示す概略ブロック図である。
【図３】図３は本発明の実施例３に係る対象物体の状態管理システムの構成を示す概略ブロック図である。
【図４】図４は本発明の実施例３に係る状態管理システムにおける検知手段、読み取り処理手段の構成ブロック図である。
【図５】図５は本発明の実施例３の応用例に係る対象物体の状態管理システムの構成を示す概略ブロック図である。
【図６】図６は本発明の実施例４に係る無線ＩＣタグカードを使用した対象物体の状態管理システムの構成を示す概略ブロック図である。
【図７】図７は本実施例４に係る無線ＩＣタグカードを使用した対象物体の状態管理システムにおける出退勤管理状態の一例を示す給料明細書の平面図である。
【図８】図８は本発明の実施例５に係る無線ＩＣタグカードを使用した対象物体の状態管理システムの構成を示す概略ブロック図である。
【図９】図９は本発明の実施例６に係る無線ＩＣタグカードを使用した対象物体の状態管理システムの構成を示す概略ブロック図である。
【図１０】図１０は本発明の実施例７に係る無線ＩＣタグカードを使用した対象物体の状態管理システムの構成を示す概略ブロック図である。
【図１１】図１１は本実施例７に係る無線ＩＣタグカードを使用した対象物体の状態管理システムにおけるポイント更新画面の一例を示す説明図である。
【図１２】図１２は本発明の実施例８に係る無線ＩＣタグカードを使用した対象物体の状態管理システムの構成を示す概略ブロック図である。
【図１３】図１３は本実施例８に係る無線ＩＣタグカードを使用した対象物体の状態管理システムにおける児童の監視領域を示す説明図である。
【図１４】図１４は本発明の実施例９に係る無線ＩＣタグカードを使用した対象物体の状態管理システムの構成を示す概略ブロック図である。
【図１５】図１５は本実施例９に係る無線ＩＣタグカードを使用した対象物体の状態管理システムにおける高齢者等の監視領域を示す説明図である。
【図１６】図１６は本発明の実施例１０に係る無線ＩＣタグカードを使用した対象物体の状態管理システムの構成を示す概略ブロック図である。
【図１７】図１７は本実施例１０に係る無線ＩＣタグカードを使用した対象物体の状態管理システムにおける業務用車両の走行状態を示す説明図である。
【発明を実施するための形態】
【００２４】
本発明は、安価な使用料金体系の基に、無線ＩＣタグカードの携行者、例えば学習塾生徒等に関する一定の場所等における状態把握、又は前記携行者に関連する特定者による無線ＩＣタグカードの携行者の例えば一定の場所等における状態把握を的確に行うことを可能とする無線ＩＣタグカードを使用した対象物体の状態管理システムを提供するという目的を、予め登録した会員である学習塾生徒が携行する当該学習塾生徒固有の識別情報を記憶した無線ＩＣタグカードと、前記学習塾生徒が通う学習塾に配置されるとともに、前記無線ＩＣタグカードの接近時、前記無線ＩＣタグカードから識別情報を読み取り、読み取った前記識別情報と読み取り時刻情報、場所情報を無線データ回線を介して送信する読取処理手段と、前記読取処理手段からの識別情報及び読み取り時刻情報、場所情報を無線データ回線を介して受信し、管理支援プログラムに基づき前記学習塾生徒の前記学習塾における状態を表す生徒出退状態情報を作成して通信網を介して前記携行者に関連する特定者としての保護者宛てに送信する管理支援コンピュータ装置と、前記管理支援コンピュータ装置からの生徒出退状態情報を通信網を介して受信する前記保護者の情報通信装置と、を有する構成により実現した。
【実施例】
【００２５】
以下に本発明の実施例に係る無線ＩＣタグカードを使用した対象物体の状態管理システム及び対象物体の状態管理システムについて詳細に説明する。
【００２６】
（実施例１）
本発明の実施例１に係る無線ＩＣタグカードを使用した対象物体の状態管理システムについて図１を参照して説明する。
【００２７】
本実施例１に係る無線ＩＣタグカード１を使用した対象物体の状態管理システムは、学習塾生徒が通う学習塾における当該学習塾生徒に関する生徒出退状態情報を管理するものである。
【００２８】
すなわち、本実施例１に係る無線ＩＣタグカード１を使用した対象物体の状態管理システムは、予め登録した会員である学習塾生徒が携行する当該学習塾生徒固有の識別情報（例えばセキュリティ番号（UID：User Identifier））を記憶した公知の無線ＩＣタグカード１（RFID( Radio Frequency Identification)カード）と、前記学習塾生徒が通う学習塾に配置されるとともに、前記無線ＩＣタグカード１の接近時、前記無線ＩＣタグカード１から識別情報を読み取り、読み取った前記識別情報と読み取り時刻情報、場所情報を例えば図示しないが公知のネットワークのホストとユーザとを結ぶ中継装置を含む公衆無線ＬＡＮのような無線データ回線６を介して送信する読取処理手段１１と、前記読取処理手段１１からの識別情報及び読み取り時刻情報、場所情報を、無線データ回線６を介して受信し、予め格納した管理支援プログラムに基づき前記学習塾生徒の前記学習塾における状態を表す生徒出退状態情報を作成してインターネットのような通信網１０を介して前記携行者に関連する特定者としての保護者宛てに送信する前記状態管理システムを運用する管理主体のデータセンターサーバである管理支援コンピュータ装置１５と、前記管理支援コンピュータ装置１５からの生徒出退状態情報を、通信網１０を介して受信する前記保護者の情報通信装置である携帯電話３と、前記保護者の情報通信装置であるコンピュータ端末１２と、を有している。
【００２９】
前記読取処理手段１１、学習塾生徒の登校時用、下校時用の２台構成とすることが好ましい。
【００３０】
前記無線データ回線６としては、例えば、ＮＴＴドコモ社、ＫＤＤＩ社等の通信モジュール、データキャリアを使用することができる。
【００３１】
前記読取処理手段１１としては、停電時等を考慮してフラッシュメモリー、ＲＦＩＤ読取機、バッテリー、ワンボードマイコンを搭載した機材構成としている。
【００３２】
前記管理支援コンピュータ装置１５は、前記読取処理手段１１からの識別情報及び読み取り時刻情報、場所情報を受信し、内蔵する記録媒体に一定期間記憶保存するとともに、予め格納した管理支援プログラムに基づき前記学習塾生徒の前記学習塾における状態を表す生徒出退状態情報を作成して通信網１０を介して前記携帯電話３に送信する構成としている。
【００３３】
前記通信網１０は、周知のインターネット網や携帯電話通信網から構成するものであり、また、本実施例１に係る無線ＩＣタグカード１を使用した対象物体の状態管理システムにおいては、管理支援コンピュータ装置１５は前記読取処理手段１１からの識別情報及び読み取り時刻情報を基に、生徒出退状態情報である「只今学習塾に到着しました」又は「只今学習塾から帰宅します」の文字情報を携帯電子メールとして作成し、前記保護者の携帯電話３に携帯電話通信網を介して送信する構成としている。
【００３４】
前記保護者の情報通信装置であるコンピュータ端末に生徒出退状態情報を電子メールにて送信することももちろん可能である。
【００３５】
本実施例１によれば利用料金が低額な無線データ回線６を利用し、また、携帯電子メール（又は電子メール）を利用する構成としているので、安価な基本使用料金契約（例えば月額数百円乃至数千円）でこの状態管理システムによるサービスを学習塾生徒の保護者等に提供でき、学習塾生徒の通学状態、帰宅状態の把握を的確に行うことができる利用価値の大きい無線ＩＣタグカード１を使用した対象物体の状態管理システムを構築できる。基本使用料金に関しては以下の各実施例システムにおいても同様である。
【００３６】
（実施例２）
本発明の実施例２に係る無線ＩＣタグカードを使用した対象物体の状態管理システムについて図２を参照して説明する。
【００３７】
なお、本実施例２において、実施例１に係る状態管理システムの場合と同一の要素には同一の符号を付し、その詳細説明は省略する。
【００３８】
本実施例２に係る無線ＩＣタグカード１を使用した対象物体の状態管理システムは、観光地、高速道路等を走行する観光バスＢに乗降する複数の乗客管理（旅行顧客管理）に適用するものである。
【００３９】
本実施例２に係る無線ＩＣタグカード１を使用した対象物体の状態管理システムは、予め登録した会員である個々の乗客が携行する当該乗客固有の識別情報を記憶した無線ＩＣタグカード（ツアー会員カード）１と、前記観光バスＢにおける一定の箇所、例えば乗降通路の近くに配置される固定型に構成され、又は係員（ガイド又は添乗員）が携行する携帯型に構成され、無線ＩＣタグカード１がかざされたときに、前記無線ＩＣタグカード１から識別情報を読み取る読取処理手段１１と、前記読取処理手段１１にて読み取った前記識別情報と読み取り時刻情報を例えば公衆無線ＬＡＮのような無線データ回線６を介して受信、予め格納した管理支援プログラムに基づき前記個々の乗客の前記観光バスＢにおける乗降状態を表す個々の乗客乗降状態情報を作成して通信網１０を介して前記乗客に関連する特定者宛てに送信する前記状態管理システムを運用する管理主体のデータセンターサーバである管理支援コンピュータ装置１５と、前記管理支援コンピュータ装置１５からの乗客乗降状態情報を通信網１０を介して受信する前記特定者である観光バスの係員（運転手、ガイド、添乗員等）の情報通信装置である携帯電話３と、前記管理支援コンピュータ装置１５からの乗客乗降状態情報を通信網１０を介して受信するバス会社のコンピュータ端末１２と、を有している。
【００４０】
前記乗客乗降状態情報は、例えば現在時間で何人降車し、何人乗車したかの情報であり、管理支援コンピュータ装置１５はこの乗客乗降状態情報を運転手、ガイド又は添乗員等の携帯電話３に携帯電子メールとして送信する。
【００４１】
前記無線データ回線６としては、例えば、ＮＴＴドコモ社、ＫＤＤＩ社等の通信モジュール、データキャリアを使用することができる。
【００４２】
前記読取処理手段１１としては、停電時等を考慮してフラッシュメモリー、ＲＦＩＤ読取機、バッテリー、ワンボードマイコンを搭載した機材構成としている。
【００４３】
なお、前記読取処理手段１１の電源としては、観光バスＢ自体のバッテリーを利用する構成とすることも可能である。
【００４４】
本実施例２に係る無線ＩＣタグカード１を使用した対象物体の状態管理システムによれば、観光バスＢの運転手、ガイド又は添乗員は、現在時間での乗客の状態、すなわち、だれが戻り、だれが戻っていないかを的確に把握することが可能となり、観光バスＢにおける観光地の駐車場、高速道路のサービスエリア等における乗客管理の確実性を上げ、いわゆる「乗せ忘れ」等の不都合な事態発生を確実に回避することが可能となる。
【００４５】
本実施例２によれば利用料金が低額な無線データ回線６を利用し、また、係員への通信に携帯電子メールを利用する構成としているので、安価な基本使用料金契約でこの状態管理システムによるサービスを観光バスＢの運営会社に提供することが可能となる。
【００４６】
更に、本実施例２に係る無線ＩＣタグカード１を使用した対象物体の状態管理システムに、図示しないが携帯型ＧＰＳ位置管理装置を組み合わせることも可能であり、この場合には、乗客位置管理や観光バスＢの位置管理の精度を増強することができる。
【００４７】
（実施例３）
本発明の実施例３に係る対象物体の状態管理システムについて図３、図４を参照して説明する。
【００４８】
なお、本実施例３において、実施例１に係る状態管理システムの場合と同一の要素には同一の符号を付し、その詳細説明は省略する。
【００４９】
本実施例３に係る対象物体の状態管理システムは、住居２１内に居住する独居高齢者の動態監視に適用するものである。
【００５０】
すなわち、本実施例３に係る対象物体の状態管理システムは、住居２１内の例えば天井に配置した当該独居高齢者等の動きを検知する例えば光センサーのような検知手段２２と、前記住居２１内に配置され、前記検知手段２２からの動きを示す検知信号を受信するとともに、前記検知信号及び検知時刻情報、独居高齢者のアドレス情報を無線データ回線６を介して送信する読取処理手段１１と、前記読取処理手段１１からの前記検知信号及び検知時刻情報を無線データ回線６を介して受信するとともに、管理支援プログラムに基づき、設定時間内に前記検知信号、検知時刻情報、独居高齢者のアドレス情報を受信しない場合には、前記独居高齢者に異常が生じたと判定し、異常状態情報を作成して通信網１０を介して前記独居高齢者に関連する特定者宛てに送信するように構成され、例えば高齢者管理センターに配置した前記状態管理システムを運用する管理主体のデータセンターサーバである管理支援コンピュータ装置１５と、前記管理支援コンピュータ装置１５からの異常状態情報を、通信網１０を介して受信する前記特定者である独居高齢者の保護者（例えば親族等）の情報通信装置である携帯電話３と、を有している。
【００５１】
前記読取処理手段１１は、図４に示すように、何らかのエラーで送信されない場合に一定時間記憶保持し一定の手順で再送するためのフラッシュメモリー、停電補償用の例えばリチウムイオン電池のようなバッテリー、基盤型のマイコンでデータを通信プロトコルに変換するためのインターフェースとして使用するワンボードマイコンを用いて構成する。
【００５２】
前記無線データ回線６としては、例えば、ＮＴＴドコモ社、ＫＤＤＩ社等の通信モジュール、データキャリアを使用することができる。
【００５３】
前記バッテリーとしては、ＡＣ１００Ｖ電源を使用する構成とすることももちろん可能である。
【００５４】
前記独居高齢者に異常が生じたことを判定するための設定時間は、例えば６時間、１２時間等種々に設定可能であり、管理支援コンピュータ装置１５は、異常状態と判定した場合には、例えば「何々様が××時間経過しても動きがありません。」のような異常状態情報を保護者（例えば子供、親族等）の携帯電話３に携帯電子メールとして送信する。
【００５５】
本実施例３によれば利用料金が低額な無線データ回線６を利用し、また、保護者への通信に携帯電子メールを利用する構成としているので、安価な基本使用料金契約でこの状態管理システムによる異常状態に関するサービスを、独居高齢者の保護者等に提供し、高齢者の生存管理を通じて人命尊重に資することが可能となる。
【００５６】
図５は、本実施例３に係る対象物体の状態管理システムの応用例を示すものであり、基本的構成は実施例３に係る対象物体の状態管理システムの場合と同様であるが、前記読取処理手段１１に替えて、下記構成の読取処理手段１１Ａを採用したことが特徴である。
【００５７】
この応用例の対象物体の状態管理システムは、例えば、各種店舗等に配置されるものであり、前記読取処理手段１１Ａは、入出力インターフェース（Ｉ／Ｏ端子）４２と、無線データ送受信手段４３とを組み合わせ、前記入出力インターフェース４２に対して、店舗内に設置した温度センサー又は店舗内に設置した照度センサーから構成される周囲環境検知手段４１を接続した構成としている。
【００５８】
そして、応用例の対象物体の状態管理システムは、前記読取処理手段１１Ａからの送信信号を、無線データ回線６を介して受信するとともに、管理支援プログラムに基づき、温度情報又は照度情報からなる周囲状態情報を作成して電子メールとして通信網１０を介して送信する管理支援コンピュータ装置１５と、前記管理支援コンピュータ装置１５からの電子メールを通信網１０を介して受信する前記特定者（例えば店舗管理者、係員等）の情報通信装置である携帯電話３と、前記店舗の情報通信装置であるコンピュータ端末１２と、を有している。
【００５９】
この応用例の対象物体の状態管理システムによれば、例えば前記入出力インターフェース４２に対して、温度センサーを接続した構成とした場合には、当該店舗内の温度情報が例えば店舗管理者等に送信されるので、店舗管理者等は、店舗内の空調設備の温度調節を速やかに実行することができる。
【００６０】
また、前記入出力インターフェース４２に対して照度センサーを接続した構成とした場合には、当該店舗内の温度情報が例えば店舗管理者等に送信されるので、店舗管理者等は、店舗内の照明設備の点灯、不点灯調節を速やかに実行することができる。
【００６１】
すなわち、上述した応用例によれば、例えば店舗内の温度、照度というような周囲環境を最適化するためのトリガーとして機能させることができる対象物体の状態管理システムを構築することができる。
【００６２】
上述した応用例においても、前記読取処理手段１１Ａに図５には図示しないがＧＰＳ情報受信手段を組み込み、この読取処理手段１１Ａを移動式とすることで、広範な地域における対象物体の状態管理システムを構築するという変形も可能である。
【００６３】
（実施例４）
本発明の実施例４に係る無線ＩＣタグカードを使用した対象物体の状態管理システムについて図６、図７を参照して説明する。
【００６４】
なお、本実施例４において、実施例１に係る状態管理システムの場合と同一の要素には同一の符号を付し、その詳細説明は省略する。
【００６５】
本実施例４に係る無線ＩＣタグカード１を使用した対象物体の状態管理システムは、予め登録した会員である事業を営む組織の従業員に関しての出退勤管理に適用するものである。
【００６６】
すなわち、本実施例４に係る無線ＩＣタグカード１を使用した対象物体の状態管理システムは、予め登録した会員である事業を営む組織、例えば会社の従業員が携行する当該従業員固有の識別情報を記憶した無線ＩＣタグカード１と、前記会社の一定の場所又は複数の場所に配置され、前記無線ＩＣタグカード１の接近時、前記無線ＩＣタグカード１から当該従業員の識別情報を読み取る例えばハンディ型で机上等に設置されるとともに読み取った前記識別情報と読み取り時刻情報、読み取り日付情報、場所情報を、無線データ回線６を介して送信する読取処理手段１１と、前記読取処理手段１１からの識別情報及び読み取り時刻情報、読み取り日付情報、場所情報を無線データ回線６を介して受信し、管理支援プログラムに基づき前記従業員の出退勤管理情報を作成して通信網１０を介して後述するコンピュータ端末１２に送信するとともに、前記従業員宛てに送信する前記状態管理システムを運用する管理主体のデータセンターサーバである管理支援コンピュータ装置１５と、前記管理支援コンピュータ装置１５からの出退勤管理情報を通信網１０を介して受信する前記従業員の情報通信装置である携帯電話３と、前記会社の一台又は複数台のコンピュータ端末１２と、を有している。
【００６７】
前記無線データ回線６としては、例えば、ＮＴＴドコモ社、ＫＤＤＩ社等の通信モジュール、データキャリアを使用することができる。
【００６８】
前記読取処理手段１１としては、停電時等を考慮してフラッシュメモリー、ＲＦＩＤ読取機、バッテリー、ワンボードマイコンを搭載した機材構成としている。
【００６９】
なお、前記読取処理手段１１の電源としては、社内のＡＣ１００Ｖ電源を利用する構成とすることも可能である。
【００７０】
また、前記読取処理手段１１は、机上等に設置するものの他、例えば会社の従業員が出退勤時に通過する公知のゲートアンテナに組み込む構成とすることも可能である。
【００７１】
前記出退勤管理情報としては、図７に示すような人件費管理に関する給料明細書情報の例を挙げることができる。
【００７２】
そして、この図７に示すような出退勤管理情報は、通信網１０を介して前記コンピュータ端末１２に送信されて、当該会社の人件費管理等に用いられるとともに、通信網１０を介して前記従業員の携帯電話３に送信されて、電子給料明細表として使用されることになる。
また、本実施例４に係る無線ＩＣタグカードを使用した対象物体の状態管理システムにおいては、前記従業員が携行する無線ＩＣタグカード１から読み取る当該従業員固有の識別情報を、出社から退社までの間において当該従業員固有のタイムスタンプとして機能させるものである。
【００７３】
本実施例４によれば利用料金が低額な無線データ回線６を利用し、また、前記従業員への通信に携帯電子メールを利用する構成としているので、安価な基本使用料金契約でこの状態管理システムによるサービスを事業を営む会社等の組織に提供し、従業員の人件費管理等に大きく貢献し得る。
また、データセンターサーバである管理支援コンピュータ装置１５を、データを何千万個というホルダーの指定ホルダーに転送し、到着した瞬間に指定場所に転送する特殊仕様とすることによって、会社側としては余分な設備投資のいらない極めて効率の良い対象物体の状態管理システムを構築することができる。
【００７４】
（実施例５）
本発明の実施例５に係る無線ＩＣタグカードを使用した対象物体の状態管理システムについて図８を参照して説明する。
【００７５】
なお、本実施例５において、実施例１に係る状態管理システムの場合と同一の要素には同一の符号を付し、その詳細説明は省略する。
【００７６】
本実施例５に係る無線ＩＣタグカード１を使用した対象物体の状態管理システムは、予め診療機関に登録した会員である患者の診療予約、受付に適用するものである。
【００７７】
すなわち、本実施例５に係る無線ＩＣタグカード１を使用した対象物体の状態管理システムは、患者が携行する当該患者固有の識別情報を記憶した診察券として機能する無線ＩＣタグカード１と、前記無線ＩＣタグカード１の接近時、すなわち、患者が無線ＩＣタグカード１を近くにかざしたときその前記無線ＩＣタグカード１から前記識別情報を読み取る例えば診療機関の複数箇所に個別に配置した例えばハンディ型で机上等に設置される予約受付用、院内受付用、診療受付用の各読取処理手段１１と、各読取処理手段１１からの識別情報及び読み取り時刻情報を、無線データ回線６を介して受信し、管理支援プログラムに基づき前記患者の予約受付情報、院内受付情報、診療受付情報を個別に作成し、携帯電子メールとして前記患者宛てに通信網１０を介して送信する前記状態管理システムを運用する管理主体のデータセンターサーバである管理支援コンピュータ装置１５と、前記管理支援コンピュータ装置１５からの予約受付情報、院内受付情報、診療受付情報を通信網１０を介して携帯電子メールにて個別に受信する前記患者の情報通信装置である携帯電話３と、前記診療機関の所定の場所に配置した予約受付用、院内受付用、診療受付用の複数台の（例えば３台の）コンピュータ端末１２と、を有している。
【００７８】
前記無線データ回線６としては、例えば、ＮＴＴドコモ社、ＫＤＤＩ社等の通信モジュール、データキャリアを使用することができる。
【００７９】
前記読取処理手段１１としては、停電時等を考慮してフラッシュメモリー、ＲＦＩＤ読取機、バッテリー、ワンボードマイコンを搭載した機材構成としている。  なお、前記読取処理手段１１の電源としては、診療機関内のＡＣ１００Ｖ電源を利用する構成とすることも可能である。
【００８０】
なお、図７に示す前記診療機関の機器構成は一例を示すものであって、特に限定するものではない。
【００８１】
前記管理支援コンピュータ装置１５からの携帯電子メールによる予約受付情報としては、「予約完了です。何分待ちです。」等の例を、前記管理支援コンピュータ装置１５からの院内受付情報としては、「受付完了です。診療受付で再度無線ＩＣタグカード１をかざして下さい。」等の例を、前記管理支援コンピュータ装置１５からの診療受付情報としては、「診療受付完了です。何分待ちです。」等の例を各々挙げることができる。
【００８２】
また、前記コンピュータ端末１２は、前記管理支援コンピュータ装置１５の患者に対する診療受付処理実行後、当該患者の電子カルテを表示する処理等を実行する。
【００８３】
本実施例５によれば、利用料金が低額な無線データ回線６を利用し、また、患者への通信に携帯電子メールを利用する構成としているので、安価な基本使用料金契約でこの状態管理システムによるサービスを診療機関に提供でき、多数の患者の当該診療機関に対する予約、院内予約、診療予約に関する順位情報等に関するサービス性を大きく向上することができる。
【００８４】
また、データセンターサーバである管理支援コンピュータ装置１５を、データを何千万個というホルダーの指定ホルダーに転送し、到着した瞬間に指定場所に転送する特殊仕様とすることによって、診療機関側としては余分な設備投資のいらない極めて効率の良い対象物体の状態管理システムを構築することができる。
【００８５】
（実施例６）
本発明の実施例６に係る無線ＩＣタグカードを使用した対象物体の状態管理システムについて図９を参照して説明する。
【００８６】
なお、本実施例６において、実施例１に係る状態管理システムの場合と同一の要素には同一の符号を付し、その詳細説明は省略する。
【００８７】
本実施例６に係る無線ＩＣタグカード１を使用した対象物体の状態管理システムは、予め医療検査センター３２に登録した会員である検査希望者（患者）の検体検査に適用するものである。
【００８８】
すなわち、本実施例６に係る無線ＩＣタグカード１を使用した対象物体の状態管理システムは、検査希望者である患者が、検体の検査を実行する医療検査センター３２に提供するための自己の検体（例えば尿、毛髪等）を収納した検体採取用機材３１を使用し、この検体採取用機材３１に、当該患者及び検体を特定する識別情報を記憶した例えばフィルム状の無線ＩＣタグカード１を前記検体採取用機材３１に付加した構成を前提としている。
【００８９】
そして、個々の患者が、クリニック、診療所、病院Ａ、病院Ｂ等の机上等に各々配置されるとともに、前記検体採取用機材３１に付加した無線ＩＣタグカード１の接近時、すなわち、個々の患者が無線ＩＣタグカード１を近くにかざしたとき、その前記無線ＩＣタグカード１から前記識別情報を読み取るハンディ型で机上等に設置される各読取処理手段１１と、前記クリニック、診療所、病院Ａ、病院Ｂ等における各コンピュータ端末１２と、無線データ回線６と、前記医療検査センター３２の机上等に配置されるとともに、前記クリニック、診療所、病院Ａ、病院Ｂ等から送付される各検体採取用機材３１に付加した各無線ＩＣタグカード１の前記識別情報を読み取るハンディ型で机上等に設置される前記医療検査センター３２側の読取書込処理手段１１Ｂと、前記医療検査センター３２側の管理コンピュータ装置３３と、前記コンピュータ端末１２、管理コンピュータ装置３３間の情報伝送を行う通信網１０と、を有している。
【００９０】
前記無線データ回線６としては、例えば、ＮＴＴドコモ社、ＫＤＤＩ社等の通信モジュール、データキャリアを使用することができる。
【００９１】
前記読取処理手段１１としては、停電時等を考慮してフラッシュメモリー、ＲＦＩＤ読取機、バッテリー、ワンボードマイコンを搭載した機材構成としている。
【００９２】
また、前記読取書込処理手段１１Ｂとしては、停電時等を考慮してフラッシュメモリー、ＲＦＩＤ読取機、バッテリー、ワンボードマイコンを搭載した機材構成としている。
【００９３】
なお、前記読取処理手段１１の電源としては、医療機関内のＡＣ１００Ｖ電源を利用する構成とする。同様に前記読取書込処理手段１１Ｂの電源としては、前記医療検査センター３２内のＡＣ１００Ｖ電源を利用する構成とする。
【００９４】
本実施例６に係る無線ＩＣタグカード１を使用した対象物体の状態管理システムにおいては、個々の患者の前記検体採取用機材３１に付加した各無線ＩＣタグカード１の各識別情報が各読取処理手段１１にて読み取られ、無線データ回線６を介して管理支援コンピュータ装置１５に送信され、一定期間記憶保持される。
【００９５】
更に、管理支援コンピュータ装置１５は、通信網１０を介して各読取処理手段１１から送信されてきた各無線ＩＣタグカード１の各識別情報を、前記医療検査センター３２側の管理コンピュータ装置３３に送信する。
【００９６】
また、個々の患者の前記検体採取用機材３１は、各々前記医療検査センター３２に送付され、上述した場合と同様にして、前記医療検査センター３２側の読取処理手段１１にて読み取られ、前記医療検査センター３２側の管理コンピュータ装置３３に伝送される。
【００９７】
また、前記医療検査センター３２においては、前記各検体採取用機材３１について検査を実行し、この検査結果情報を管理コンピュータ装置３３に記憶保持する。そして、管理コンピュータ装置３３は、前記各識別情報と、各識別情報に対応する前記各検体に関して実行した各検査結果情報との情報処理を行い、処理結果を前記通信網１０を介して前記クリニック、診療所、病院Ａ、病院Ｂ等における各コンピュータ端末１２に送信する。
【００９８】
更に、前記医療検査センター３２おいては、管理コンピュータ装置３３による制御の基に、読取書込処理手段１１Ｂにより、前記各識別情報と、各識別情報に対応する前記各検体に関して実行した各検査結果情報とを対応付けて、前記各検体採取用機材３１に付加した各無線ＩＣタグカード１にこれらの情報を書き込む。
【００９９】
検査終了後、前記各検体採取用機材３１は、各々前記クリニック、診療所、病院Ａ、病院Ｂ等に返送される。
【０１００】
各クリニック、診療所、病院Ａ、病院Ｂ等においては、各検体採取用機材３１に付加した各無線ＩＣタグカード１を各読取処理手段１１にかざすことで、個々の患者の検査結果情報が前記クリニック、診療所、病院Ａ、病院Ｂ等におけるコンピュータ端末１２の画面に表示されることになり、前記クリニック、診療所、病院Ａ、病院Ｂ等において、個々の患者の検体の検査結果を簡略に把握することができる。
【０１０１】
前記検体採取用機材３１は、患者が医療検査センターに電話、郵便等で送付を申し込み、医療検査センター３２が当該患者固有の無線ＩＣタグカード１を付加した検体採取用機材３１を送付することで前記患者が入手するものである。
【０１０２】
前記検体を入れた検体採取用機材３１は、例えば患者が、又は各々前記クリニック、診療所、病院Ａ、病院Ｂ等から医療検査センター３２に郵便等により送付する等の例を挙げることができる。
【０１０３】
本実施例６に係る無線ＩＣタグカード１を使用した対象物体の状態管理システムによれば、利用料金が低額な無線データ回線６を利用して、安価な基本使用料金契約でこの状態管理システムによる患者の検体に関する検査サービスを前記クリニック、診療所、病院Ａ、病院Ｂ等に提供でき、当該クリニック、診療所、病院Ａ、病院Ｂ等における多数の患者への検体検査に関するサービス性を大きく向上することができる。
また、前記クリニック、診療所、病院Ａ、病院Ｂ等では、余分な設備投資が不要で簡略にこの無線ＩＣタグカード１を使用した対象物体の状態管理システムを利用できるという利点も存する。
【０１０４】
（実施例７）
本発明の実施例７に係る無線ＩＣタグカードを使用した対象物体の状態管理システムについて図１０及び図１１を参照して説明する。
【０１０５】
なお、本実施例７において、実施例１に係る状態管理システムの場合と同一の要素には同一の符号を付し、その詳細説明は省略する。
【０１０６】
本実施例７に係る無線ＩＣタグカード１を使用した対象物体の状態管理システムは、売上額に応じたサービスポイントを顧客に提供する商品の販売店舗等に適用するものである。
【０１０７】
本実施例７に係る無線ＩＣタグカード１を使用した対象物体の状態管理システムは、販売店舗に登録した会員である顧客固有の識別情報及び書き換え可能なサービスポイント情報を記憶したポイントカードとして機能する無線ＩＣタグカード１と、例えばハンディ型に構成され、販売店舗の一定の場所、例えば商品の代金処理を行うレジスタ設置場所等に配置されるとともに、買物客である顧客の前記無線ＩＣタグカード１の接近時、前記無線ＩＣタグカード１からの識別情報、サービスポイント情報の読み取り及び書き換え処理を実行するとともに、読み取った前記識別情報と、前記サービスポイント情報とを無線データ回線６を介して送信する読取書込処理手段１１Ｂと、前記読取書込処理手段１１Ｂからの識別情報及びサービスポイント情報を、無線データ回線６を介して受信し、管理支援プログラムに基づき無線ＩＣタグカード１の更新情報を作成して前記読取書込処理手段１１Ｂに無線データ回線６を介して送信し、前記読取書込処理手段１１Ｂにより売上額に応じた無線ＩＣタグカード１のサービスポイント情報の更新を実行させるとともに、通信網１０を介して無線ＩＣタグカード１の更新情報を携帯電子メールにて前記顧客宛てに送信する前記状態管理システムを運用する管理主体のデータセンターサーバである管理支援コンピュータ装置１５と、前記管理支援コンピュータ装置１５からの無線ＩＣタグカード１の更新情報を通信網１０を介して受信する前記顧客の情報通信装置である携帯電話３と、前記販売店舗に設置したコンピュータ端末１２と、を有している。前記管理支援コンピュータ装置１５としては、通常のサーバー構成のものを用いる他、受信するデータを何千万個というホルダーの指定のホルダー領域にアドレス別に記憶し、到着した瞬間に予め指定した情報通信装置（携帯電話３やコンピュータ端末１２）に転送する瞬時転送型（各ホルダーに予め転送先が記録されていて当該ホルダーに到着した瞬間、即時に転送するタイプのもの）のサーバー構成のものを用いることもできる。
【０１０８】
前記無線データ回線６としては、例えば、ＮＴＴドコモ社、ＫＤＤＩ社等の通信モジュール、データキャリアを使用することができる。
【０１０９】
前記読取処理手段１１としては、停電時等を考慮してフラッシュメモリー、ＲＦＩＤ読取機、バッテリー、ワンボードマイコンを搭載した機材構成としている。
【０１１０】
なお、前記読取処理手段１１の電源としては、販売店舗内のＡＣ１００Ｖ電源を利用する構成とすることも可能である。
【０１１１】
前記無線ＩＣタグカード１に対する更新情報の一例を図１１に示す。
【０１１２】
本実施例７に係る無線ＩＣタグカード１を使用した対象物体の状態管理システムによれば、利用料金が低額な無線データ回線６を利用し、また、顧客への通信に携帯電子メールを利用する構成としているので、安価な基本使用料金契約で、売上額に応じた顧客へのサービスポイント付加のための状態管理システムを販売店舗に提供でき、顧客の利便性の向上、顧客へのサービス性の向上を図り、売上額増大に寄与することが可能となる。
【０１１３】
また、データセンターサーバである管理支援コンピュータ装置１５を、受信するデータを何千万個というホルダーの指定のホルダー領域にアドレス別に記憶し、到着した瞬間に予め指定した携帯電話３に転送（メール転送）したり、前記販売店舗に設置したコンピュータ端末１２に転送する瞬時転送型とすることによって、多人数（例えば何千人、何万人）の顧客の利用に供することができ、また、販売店舗側としては余分な設備投資のいらない極めて効率の良いポイントカードの状態管理システムを構築することができる。すなわち、従来のように多くの顧客が各々多数のポイントカードを財布に入れて持ち歩くような不便さを無くし、一枚のポイントカードによって複数の店舗で簡略に活用できるポイントカードシステムの構築に大いに寄与することができる。
【０１１４】
（実施例８）
本発明の実施例８に係る対象物体の状態管理システムについて図１２及び図１３を参照して説明する。
【０１１５】
なお、本実施例８において、実施例１に係る状態管理システムの場合と同一の要素には同一の符号を付し、その詳細説明は省略する。
【０１１６】
本実施例８に係る対象物体の状態管理システムは、監視対象者である児童の予め設定した通学路及びその周辺領域での移動監視に適用するものである。
【０１１７】
すなわち、本実施例８に係る対象物体の状態管理システムは、図１２に示すように、前記児童が携行する通信衛星からのＧＰＳ情報を受信するＧＰＳ（Ｇｌｏｂａｌ  Ｐｏｓｉｔｉｏｎｉｎｇ  Ｓｙｓｔｅｍ）情報受信手段５２及び無線データ回線６を介してＧＰＳ情報、及び予め記憶保持した児童の識別情報の送信を行う無線データ送受信手段５３を組み合わせた携帯型の読取処理手段１１と、前記読取処理手段１１から無線データ回線６を介して送信されてくる当該児童の識別情報及び前記ＧＰＳ情報受信手段５２にて受信した現在地を示すＧＰＳ情報を受信し、管理支援プログラムに基づき前記ＧＰＳ情報を基に当該児童の現在の位置を判定するとともに、当該児童の現在の位置が通学路及びその周辺領域外と判定した際に緊急情報を生成し、通信網１０を介して緊急情報を携帯電子メールにて送信する前記状態管理システムを運用する管理主体のデータセンターサーバである管理センターの管理支援コンピュータ装置１５と、前記管理支援コンピュータ装置１５からの緊急情報を、通信網１０を介して受信する前記児童の保護者（親等）の情報通信装置である携帯電話３と、前記保護者の家庭における情報通信装置であるコンピュータ端末１２と、を有している。
【０１１８】
前記無線データ回線６としては、例えば、ＮＴＴドコモ社、ＫＤＤＩ社等の通信モジュール、データキャリアを使用することができる。
【０１１９】
前記読取処理手段１１としては、予め前記児童の識別情報を記憶しているフラッシュメモリー、ＲＦＩＤ読取機、バッテリー、ワンボードマイコンを搭載した機材構成としている。
【０１２０】
前記読取処理手段１１のバッテリーとしては、１回の充電で７２時間程度の所要電力維持機能を有するものを採用することができる。
【０１２１】
図１３を参照して、児童の監視領域である通学路及びその周辺領域について説明する。
前記児童の保護者（親等）は、予め携帯電話３を使用し通信網１０を介して、当該児童の自宅、学校間（又は自宅、塾、学校間）の通学路情報、当該児童の携帯電話番号を管理センターの管理支援コンピュータ装置１５に例えば携帯電子メールにて送信する。
【０１２２】
管理センターの管理支援コンピュータ装置１５は、前記通学路情報に応じて、図１３に示すように、コンピュータ画面に対応する地図情報を表示し、その地図情報上に当該通学路情報を作図するとともに、作図した通学路情報の周りの領域にバッファゾーン（例えば、通学路の周りに６０ｍ拡大した監視領域）も作図する。
【０１２３】
前記通学路、その周りのバッファゾーンに関しての児童の監視は、例えば、公知のように管理センターの管理支援コンピュータ装置１５によって前記読取処理手段１１からの前記識別情報、ＧＰＳ情報を受信し分析することにより行う。
【０１２４】
次に、前記児童の通学、下校時間帯においては、管理センターの管理支援コンピュータ装置１５は、児童が携行する前記読取処理手段１１から無線データ回線６を介して送信されてくる当該児童の識別情報及びＧＰＳ情報を受信し、ＧＰＳ情報を基に当該児童の現在の位置を割り出し、仮に当該児童の位置が前記バッファゾーン外である場合には、その状態を感知し、当該児童の保護者（親等）の携帯電話３に携帯電子メールにて異常通報を発信する。これにより、保護者（親等）は携帯電話３にて当該児童の緊急事態を速やかに認識することが可能となる。
【０１２５】
なお、当該児童が携帯電話を併せて携行しているような場合には、管理センターの係員が児童に対して緊急コールを行うようにすることもできる。
【０１２６】
本実施例８に係る対象物体の状態管理システムによれば、利用料金が低額な無線データ回線６を利用し、また、児童の保護者への通信に携帯電子メールを利用する構成としているので、安価な基本使用料金契約でこの状態管理システムによる児童の登校、下校時の状態監視サービスを当該児童の親等に提供でき、児童の登校、下校時の交通事故、防犯等に関する安全性向上に資することができる。
【０１２７】
また、データセンターサーバである管理支援コンピュータ装置１５を、データを何千万個というホルダーの指定ホルダーに転送し、到着した瞬間に指定場所に転送する特殊仕様とすることによって、多数の児童の保護者の携帯電話３に携帯電子メールにて、又はコンピュータ端末１２に電子メールにて当該児童の緊急事態を速やかに通報することが可能となる。
【０１２８】
なお、家庭にコンピュータ端末１２を所有しない場合においては、携帯電話３に対する携帯電子メールのみの通報となる。
【０１２９】
（実施例９）
本発明の実施例９に係る対象物体の状態管理システムについて図１４び図１５を参照して説明する。
【０１３０】
なお、本実施例９において、実施例１、８に係る状態管理システムの場合と同一の要素には同一の符号を付し、その詳細説明は省略する。
【０１３１】
本実施例９に係る対象物体の状態管理システムは、高齢者等の監視対象者の自宅周辺の予め設定した監視領域での移動監視に適用するものである。
【０１３２】
すなわち、本実施例９に係る対象物体の状態管理システムは、前記監視対象者が携行する通信衛星からのＧＰＳ情報を受信するＧＰＳ（Ｇｌｏｂａｌ  Ｐｏｓｉｔｉｏｎｉｎｇ  Ｓｙｓｔｅｍ）情報受信手段５２と、前記ＧＰＳ情報及び予め記憶保持した監視対象者の識別情報を、無線データ回線６を介して送信する無線データ送受信手段５３と、を組み合わせた携帯型の読取処理手段１１と、前記読取処理手段１１から無線データ回線６を介して送信されてくる当該監視対象者の無線ＩＣタグカード１からの識別情報及び前記ＧＰＳ情報受信手段５２にて受信した現在地を示すＧＰＳ情報を受信し、管理支援プログラムに基づき前記ＧＰＳ情報を基に当該監視対象者の現在の位置を判定するとともに、当該監視対象者の現在の位置が通学路及びその周辺領域外と判定した際に緊急情報を生成し、通信網１０を介して緊急情報を携帯電子メールにて送信する前記状態管理システムを運用する管理主体のデータセンターサーバである管理センターの管理支援コンピュータ装置１５と、管理支援コンピュータ装置１５からの緊急情報を通信網１０を介して受信する前記監視対象者の保護者（親族等）の情報通信装置である携帯電話３と、前記監視対象者を保護する保護者の家庭における情報通信装置であるコンピュータ端末１２と、を有している。
【０１３３】
前記無線データ回線６としては、例えば、ＮＴＴドコモ社、ＫＤＤＩ社等の通信モジュール、データキャリアを使用することができる。
【０１３４】
前記読取処理手段１１としては、フラッシュメモリー、ＲＦＩＤ読取機、バッテリー、ワンボードマイコンを搭載した機材構成としている。
【０１３５】
前記読取処理手段１１のバッテリーとしては、１回の充電で７２時間程度の所要電力維持機能を有するものを採用することができる。
【０１３６】
前記監視対象者の自宅周辺の予め設定した監視領域に関しての監視は、公知のように管理センターの管理支援コンピュータ装置１５によって前記ＧＰＳ情報を受信し分析することにより行う。
【０１３７】
また、前記監視領域は、図１４に示すように、自宅を中心として１００ｍ、５００ｍ、１０００ｍ等の円形領域に設定される。
【０１３８】
次に、前記監視対象者に対する監視態様について説明する。
管理センターの管理支援コンピュータ装置１５は、監視対象者が携行する読取処理手段１１から無線データ回線６を介して送信されてくる当該監視対象者の識別情報及びＧＰＳ情報を受信し、ＧＰＳ情報を基に当該監視対象者の現在の位置を割り出し、仮に当該監視対象者の位置が前記監視領域外と判定した場合には、当該監視領域の保護者（親族等）の携帯電話３に携帯電子メールにて異常通報を行う。
【０１３９】
これにより、保護者（親族等）に当該監視対象者の緊急事態を速やかに連絡することが可能となる
【０１４０】
本実施例９に係る対象物体の状態管理システムによれば、利用料金が低額な無線データ回線６を利用し、また、保護者への通信に携帯電子メールを利用する構成としているので、安価な基本使用料金契約でこの状態管理システムによる監視対象者の徘徊等に関する状態監視サービスを当該保護者に提供でき、監視対象者に関する交通事故、防犯等に関する安全性向上に資することができる。
【０１４１】
また、データセンターサーバである管理支援コンピュータ装置１５を、データを何千万個というホルダーの指定ホルダーに転送し、到着した瞬間に指定場所に転送する特殊仕様とすることによって、多数の児童の保護者の携帯電話３に携帯電子メールにて、又はコンピュータ端末１２に電子メールにて当該監視対象者の緊急事態を速やかに通報することが可能となる。
【０１４２】
なお、家庭にコンピュータ端末１２を所有しない場合においては、携帯電話３に対する携帯電子メールのみの通報となる。
【０１４３】
（実施例１０）
本発明の実施例１０に係る無線ＩＣタグカードを使用した対象物体の状態管理システムについて図１６及び図１７を参照して説明する。
【０１４４】
なお、本実施例１０において、実施例１、８に係る状態管理システムの場合と同一の要素には同一の符号を付し、その詳細説明は省略する。
【０１４５】
本実施例１０に係る無線ＩＣタグカード１を使用した対象物体の状態管理システムはバスやトラック等のような業務用車両の運行管理に適用するものである。
【０１４６】
すなわち、本実施例１０に係る無線ＩＣタグカード１を使用した対象物体の状態管理システムは、図１６に示すように、予め登録した業務用車両の運転者が携行する当該運転者固有の識別情報を記憶した無線ＩＣタグカード１と、業務用車両における一定の箇所、例えば運転席の近く等に配置されるとともに、タグリーダ５１、ＧＰＳ情報受信手段５２及び無線データ回線６を介して送受信を行う無線データ送受信手段５３を組み合わせて構成され、前記業務用車両の運行に伴って、前記無線ＩＣタグカード１から識別情報を読み取り、また、ＧＰＳ情報を受信して、前記無線データ送受信手段５３により無線データ回線６を介して前記識別情報及びＧＰＳ情報の送信を行う例えば携帯型のロケーション装置５０を組み込んだ読取処理手段１１と、前記読取処理手段１１からの前記識別情報、ＧＰＳ情報を無線データ回線６を介して受信し、管理支援プログラムに基づき前記業務用車両の運行状態情報を作成して、通信網１０を介して例えば電子メールにて送信する管理センターの管理支援コンピュータ装置１５と、前記管理支援コンピュータ装置１５からの電子メールを通信網１０を介して受信する前記業務用車両の運行会社のコンピュータ装置７０と、を有している。
【０１４７】
前記無線データ回線６としては、例えば、ＮＴＴドコモ社、ＫＤＤＩ社等の通信モジュール、データキャリアを使用することができる。
【０１４８】
前記読取処理手段１１としては、フラッシュメモリー、ＲＦＩＤ読取機、バッテリー、ワンボードマイコンを搭載した機材構成としている。
【０１４９】
前記バッテリーに替えて業務用車両自体の車両バッテリーを利用する構成とすることも可能である。
【０１５０】
前記運行状態情報は、管理支援プログラムにより運転者の勤務時間内での当該業務用車両の走行距離・走行時間・走行速度・現在地等を分析して、いつ・誰が・どの車両に乗車したかを情報として明確に作成するものであり、当該運転者の勤怠管理情報、当該業務用車両の運行管理情報として活用できるものである。
【０１５１】
前記無線ＩＣタグカード１とロケーション装置５０との関係については、運転者が業務用車両に乗車して、運転席近くに取付けてあるタグリーダ５１に無線ＩＣタグカード１を差し込み、業務用車両の走行中はその状態を継続し、当該業務用車両の走行業務終了段階でタグリーダ５１から前記無線ＩＣタグカード１を抜き取る等の例を挙げることができるが特に限定するものではない。
【０１５２】
前記運行状態の具体例としては、図１７に示すように、
『無線ＩＣタグカード１をタグリーダ５１に差し込む。
車両ナンバー４５６７，運転手ｘｘｘｘ
2011,0121-07：00：○○車庫を出発しました。
経過時間３０分
車両ナンバー４５６７，運転手ｘｘｘｘ
20110121-07：30：○○区○○町３丁目付近を走行中。
経過時間３０分
車両ナンバー４５６７，運転手ｘｘｘｘ
20110121-11：00：○○車庫に到着しました。
無線ＩＣタグカード１を抜き取る。』のような例を挙げることができる。
【０１５３】
本実施例１０に係る無線ＩＣタグカード１を使用した対象物体の状態管理システムにおいては、各業務用車両から、ＧＰＳ情報を一定の通信プロトコルにより無線データ回線６を介して管理センターの管理支援コンピュータ装置６０に自動的に送信し、更に通信網１０を介して例えば電子メールにて運行状態情報を運行会社のコンピュータ装置７０に送信する方式を採用しており、従来多く行われているようなポーリングによる費用の発生は無く、非常に安価なシステム構成とすることが可能となる。
【０１５４】
また、運行会社側は、待っているだけで運行状態情報を自動的に受信でき、各業務用車両の運行管理、当該運転者の勤怠管理を容易に実現することができる。
【０１５５】
なお、実施例７における瞬時転送型のサーバー構成の管理支援コンピュータ装置１５は、他の実施例１乃至６、実施例８乃至１０における各管理支援コンピュータ装置１５に関しても必要に応じて採用することができる。
【産業上の利用可能性】
【０１５６】
本発明の無線ＩＣタグカード１を使用した対象物体の状態管理システムは、上述した場合の他、家屋等の扉の施錠確認システム、荷物の運送管理システム、図書の貸出・返却システム、ガスや電気のメーター検針システム等、広範な分野に好適に応用可能である。
【符号の説明】
【０１５７】
１    無線ＩＣタグカード
３    携帯電話
６    無線データ回線
１０    通信網
１１    読取処理手段
１１Ａ  読取処理手段
１１Ｂ  読取書込処理手段
１２    コンピュータ端末
１５    管理支援コンピュータ装置
２１    住居
２２    検知手段
３１    検体採取用機材
４１    周囲環境検知手段
４２    入出力インターフェース
４３    無線データ送受信手段
５０    ロケーション装置
５１    タグリーダ
５２    ＧＰＳ情報受信手段
５３    無線データ送受信手段
７０    コンピュータ装置
Ｂ    観光バス
【図１】
2013058002.tif 000003
【図２】
2013058002.tif 000004
【図３】
2013058002.tif 000005
【図４】
2013058002.tif 000006
【図５】
2013058002.tif 000007
【図６】
2013058002.tif 000008
【図７】
2013058002.tif 000009
【図８】
2013058002.tif 000010
【図９】
2013058002.tif 000011
【図１０】
2013058002.tif 000012
【図１１】
2013058002.tif 000013
【図１２】
2013058002.tif 000014
【図１３】
2013058002.tif 000015
【図１４】
2013058002.tif 000016
【図１５】
2013058002.tif 000017
【図１６】
2013058002.tif 000018
【図１７】
2013058002.tif 000019